(57)【要約】      （修正有）【課題】乗りかご間の距離が異なる場合や昇降路に梁部材が存在する場合にも対応できる、エレベータの救出装置を提供する。【解決手段】渡し板２０を支持する支持部材１０Ｌ，１０Ｒの上壁１０ｃが、それぞれ乗りかご１Ｌ，１Ｒの床面１２よりも上方にあるから、乗りかご間に掛け渡された渡し板２０の基端２４を乗りかご１Ｒの床面１２上に位置させることができ、乗りかご１Ｌ，１Ｒ間の間隔寸法の違いを吸収することができる。また、渡し板の下方に突出部材を設けることにより、昇降路の梁部材Ｓとの干渉を回避することができる。【選択図】図３
2008050152.tif 000002
【特許請求の範囲】
【請求項１】
隣接する一対のエレベータの一方の乗りかごから他方の乗りかごへと掛け渡される渡し板と、
前記渡し板の先端および基端の下面にそれぞれ当接してこれを支持する、前記乗りかごの外壁面にそれぞれ設けられた支持部材と、を備え、
前記渡し板は、両方の乗りかごに掛け渡された状態で前記一方の乗りかごの側に引き寄せられると前記他方の乗りかごの支持部材に係合する係合部材をその先端に有しているとともに、前記係合部材が前記他方の乗りかごの支持部材に係合したときにその基端が前記一方の乗りかごの床面上に位置するようにその全長が定められ、かつ前記支持部材に螺合して前記渡し板を固定するためのボルトを挿通可能な挿通孔を有しており、
前記支持部材は、前記渡し板の下面に当接するその上壁が前記乗りかごの床面よりも上方に位置するとともに、前記渡し板の係合部材に係合すると前記渡し板の先端が前記一方の乗りかごに向かう方向および上方に変位不能に係止できるようにその形状が定められていることを特徴とするエレベータの救出装置。
【請求項２】
前記渡し板は、
その先端の下面から下方に突出して前記他方の乗りかごの支持部材に載置可能な突出部材と、
この突出部材の下端が前記他方の乗りかごの支持部材に載置されている状態で前記一方の乗りかごの側に引き寄せられると前記他方の乗りかごの支持部材に係合する、前記突出部材の下端に設けられた第２の係合部材と、
を有していることを特徴とする請求項１に記載したエレベータの救出装置。
【請求項３】
前記突出部材は、前記渡し板から下方に突出する状態と前記渡し板に沿って平行に延びる状態との間で回動自在に前記渡し板に支持されており、
前記渡し板は、前記突出部材を下方に延びる状態に固定するための固定具を有している、ことを特徴とする請求項２に記載したエレベータの救出装置。
【請求項４】
前記渡し板は、前記一方の乗りかごから他方の乗りかごへと階段状に延びるように形成され、
かつ前記渡し板の先端には、前記他方の乗りかごの支持部材と係合する係合部材が、その上下方向の向きを反転できるように着脱自在に取り付けられている、
ことを特徴とする請求項１に記載したエレベータの救出装置。
【請求項５】
前記支持部材に対して下方に位置をずらして前記外壁面に設けられた第２の支持部材をさらに備えることを特徴とする請求項１に記載したエレベータの救出装置。
【請求項６】
前記渡し板が掛け渡されたことを検出して乗りかごの運転を停止させる制御信号を送出する検出手段をさらに備えることを特徴とする請求項１に記載のエレベータの救出装置。
【請求項７】
前記渡し板を前記他方の乗りかごに掛け渡すときに前記渡し板の先端を支持するための線状体が、前記渡し板の先端と前記一方の側の乗りかごとを接続していることを特徴とする請求項１に記載したエレベータの救出装置。
【発明の詳細な説明】
【技術分野】
【０００１】
本発明は、エレベータ乗りかごの側部救出装置に関し、より詳しくは、隣接して配置された一対のエレベータの一方が故障してその乗りかごが昇降路の途中で停止したときに、他方のエレベータの乗りかごへと乗客を移動させるべくこれらの乗りかごの間に掛け渡される渡し板、およびこの渡し板を各乗りかごに固定する技術の改良に関する。
【背景技術】
【０００２】
従来、隣接して配置された一対のエレベータの一方が故障してその乗りかごが昇降路の途中に停止したときには、他方のエレベータの乗りかごを運転して一方の乗りかごに横付けし、一方の乗りかごから他方の乗りかごへと乗客を移動させる救出作業が行われる（例えば、下記特許文献１を参照）。
【０００３】
このような救出作業は、以下の手順で行われる。
（１）救出要員が救出側エレベータの乗りかごを運転して、故障側エレベータの乗りかごに横付けする。
（２）救出側乗りかごの側壁に設けられている救出口の扉を救出要員が開き、救出側乗りかごと故障側乗りかごとの間に渡し板を連結する。
（３）救出側乗りかごに設けられている手摺を故障側乗りかごに向けて延ばし、その先端を故障側の乗りかごに連結する。
（４）救出要員が渡し板を渡って故障側乗りかごへと移動し、故障側乗りかごに設けられている救出口の扉を外側から開き、故障側乗りかごに入る。
（５）故障側乗りかごの乗客が渡り板の上を歩いて救出側乗りかごに移動する。
【０００４】
次に図１４を参照し、下記特許文献１に記載されているエレベータにおいて渡し板を掛け渡す部分の構造について概説すると、故障側乗りかご１Ｌおよび救出側乗りかご１Ｒの救出口２Ｌ，２Ｒに臨む部分には、床板３に立設された巾木４が切り欠かれているとともに、渡し板５の両端を固定するための支持枠６Ｌ，６Ｒがそれぞれ設けられている。
これにより、故障側乗りかご１Ｌと救出側乗りかご１Ｒとの間に渡し板５を掛け渡し、その両端５ａ，５ｂをそれぞれ支持枠６Ｌ，６Ｒ上に載置してボルト７で固定すると、渡し板５の上壁と乗りかご１Ｌ，１Ｒの床面８Ｌ，８Ｒとの高さが等しくなり、乗客の移動をスムーズに行うことができる。
【０００５】
【特許文献１】特開２００５−６７８８１号公報
【発明の開示】
【発明が解決しようとする課題】
【０００６】
ところで、上述したように各乗りかご１Ｌ，１Ｒの間に渡し板５を掛け渡す際には、まず最初に、渡し板５の両端５ａ，５ｂを各乗りかご１Ｌ，１Ｒの支持枠６Ｌ，６Ｒ上にそれぞれ載置する。
そして、渡し板５の基端５ｂを救出側乗りかご１Ｒの支持枠６Ｒにボルト７で固定した後、救出要員が渡し板５を渡って故障側乗りかご１Ｌの側に移動し、渡し板５の先端５ａを故障側乗りかご１Ｌの支持枠６Ｌにボルト７で固定する。
このとき、渡し板５の両端５ａ，５ｂがそれぞれ支持枠６Ｌ，６Ｒの上に載置されているだけの状態が発生するとともに、渡し板５の基端５ｂのみが支持枠６Ｒにボルト７で固定される状態が発生し、各乗りかご１Ｌ，１Ｒの間に渡し板５を掛け渡す作業が不安定である。
【０００７】
また、多数のエレベータが設けられている建物において、各乗りかご１Ｌ，１Ｒの間の距離がそれぞれ異なっている場合には、全長が異なるいくつかの渡し板５を予め準備しておく必要がある。
さらに、各乗りかご１Ｌ，１Ｒの間に建物側の梁部材が設けられている場合には、この梁部材と渡し板５とが干渉しないように配慮しておく必要がある。
【０００８】
加えて、各乗りかご１Ｌ，１Ｒの間に渡し板５を掛け渡したときに、救出側乗りかご１Ｒが昇降しないように配慮しておく必要がある。
【０００９】
そこで本発明の目的は、上述した従来技術が有する問題点を解消し、渡し板を掛け渡したときに渡し板が不安定な状態となることを確実に防止できるばかりでなく、故障側乗りかごと救出側乗りかごとの間の距離が異なる場合や故障側乗りかごと救出側乗りかごとの間の空間に建物側の梁部材が存在する場合にも対応することができ、さらには渡し板を掛け渡したときに救出側乗りかごの昇降を確実に停止させることができるエレベータの救出装置を提供することにある。
【課題を解決するための手段】
【００１０】
上記の課題を解決するための請求項１に記載したエレベータの救出装置は、
隣接する一対のエレベータの一方の乗りかごから他方の乗りかごへと掛け渡される渡し板と、
前記渡し板の先端および基端の下面にそれぞれ当接してこれを支持する、前記乗りかごの外壁面にそれぞれ設けられた支持部材と、を備え、
前記渡し板は、両方の乗りかごに掛け渡された状態で前記一方の乗りかごの側に引き寄せられると前記他方の乗りかごの支持部材に係合する係合部材をその先端に有しているとともに、前記係合部材が前記他方の乗りかごの支持部材に係合したときにその基端が前記一方の乗りかごの床面上に位置するようにその全長が定められ、かつ前記支持部材に螺合して前記渡し板を固定するためのボルトを挿通可能な挿通孔を有しており、
前記支持部材は、前記渡し板の下面に当接するその上壁が前記乗りかごの床面よりも上方に位置するとともに、前記渡し板の係合部材に係合すると前記渡し板の先端が前記一方の乗りかごに向かう方向および上方に変位不能に係止できるようにその形状が定められていることを特徴とする。
【００１１】
すなわち、請求項１に記載したエレベータの救出装置においては、一対の乗りかご間に掛け渡された渡し板を一方の乗りかごの側に引き寄せると、渡し板の先端に設けられている係合部材が他方の乗りかごの支持部材に係合して、渡し板の先端が一方の乗りかごに向かう方向および上方に変位不能に係止されるから、ボルトを用いて渡し板の基端側を一方の乗りかごの支持部材に固定することにより、渡し板を安定した状態に固定することができる。
また、支持部材の上壁が乗りかごの床面よりも上方にあるから、渡し板の先端の係合部材が他方の乗りかごの支持部材に係合したときに、渡し板の基端を一方の乗りかごの床面上に位置させることができる。
これにより、一対の乗りかご間の間隔寸法に誤差があっても対応可能であり、かつ間隔寸法が異なる一対の乗りかごにもこの渡し板を共用することができる。
さらに、一対の乗りかごの間隔寸法よりも渡し板の方が長いので、一方の乗りかごから他方の乗りかごへと渡し板を掛け渡す作業を容易にかつ安全に行うことができる。
【００１２】
また、請求項２に記載したエレベータの救出装置は、前記渡し板が、その先端の下面から下方に突出して前記他方の乗りかごの支持部材に載置可能な突出部材と、この突出部材の下端が前記他方の乗りかごの支持部材に載置されている状態で前記一方の乗りかごの側に引き寄せられると前記他方の乗りかごの支持部材に係合する、前記突出部材の下端に設けられた第２の係合部材とを有していることを特徴とする。
【００１３】
すなわち、一方の乗りかごを他方の乗りかごに横付けしたときに、両方の乗りかごの間に建物側の梁部材が存在すると、平坦な渡し板を掛け渡すことができなくなる。
このとき、請求項２に記載したエレベータの救出装置においては、一方の乗りかごの床面がこの梁部材よりもわずかに上方に位置するように位置決めした後、渡し板の先端から下方に突出している突出部材の下端が他方の乗りかごの支持部材上に載置されるように、渡し板を掛け渡すことにより、建物側の梁部材との干渉を避けることができる。
また、この突出部材の下端が他方の乗りかごの支持部材上に載置された状態で渡し板を一方の乗りかごの側に引き寄せると、突出部材の下端に設けられている第２の係合部材が他方の乗りかごの支持部材に係合し、渡し板の先端が一方の乗りかごに向かう方向および上方に変位不能に係止されるから、渡し板が不安定な状態となることがない。
【００１４】
また、請求項３に記載したエレベータの救出装置は、前記突出部材が、前記渡し板から下方に突出する状態と前記渡し板に沿って平行に延びる状態との間で回動自在に前記渡し板に支持されており、かつ前記渡し板が、前記突出部材を下方に延びる状態に固定するための固定具を有していることを特徴とする。
【００１５】
すなわち、請求項３に記載したエレベータの救出装置においては、渡し板から下方に突出する状態と渡し板に沿って延びる折りたたみ状態との間で突出部材を回動させることができるので、渡し板の収納および搬送を容易に行うことができる。
また、固定具を用いることにより、渡し板から下方に突出する状態に突出部材を固定できるので、請求項２に記載した渡し板と全く同様な作用効果を奏することができる。
【００１６】
また、請求項４に記載したエレベータの救出装置は、前記渡し板が、前記一方の乗りかごから他方の乗りかごへと階段状に延びるように形成され、かつ前記渡し板の先端には、前記他方の乗りかごの支持部材と係合する係合部材が、その上下方向の向きを反転できるように着脱自在に取り付けられていることを特徴とする。
【００１７】
すなわち、請求項４に記載したエレベータの救出装置においては、渡し板が階段状に形成されているので、両方の乗りかごの間に存在している建物側の梁部材との位置関係に合わせて渡し板を上下に反転させることにより、この梁部材との干渉を回避しつつ両方の乗りかごの間に渡し板を掛け渡すことができる。
このとき、この渡し板の先端に着脱自在に設けられている係合部材は、その上下方向の向きを反転させることができるように渡し板の先端に着脱自在に取り付けられているから、渡し板の上下方向の向きに合わせてこの係合部材の向きを反転させることにより、他方の乗りかごに設けられている支持部材にこの係合部材を係合させることができる。
【００１８】
また、請求項５に記載したエレベータの救出装置は、前記支持部材に対して下方に位置をずらして前記外壁面に設けられた第２の支持部材をさらに備えることを特徴とする。
なお、第２の支持部材の数は１つに限定されることはなく、必要に応じてその数を増すこともできる。
【００１９】
すなわち、請求項５に記載したエレベータの救出装置によれば、両方の乗りかごの間に建物側の梁部材が存在していて、両方の乗りかごの支持部材間に渡し板を掛け渡すと梁部材と渡し板とが干渉する場合に、渡し板の先端を第２の支持部材に係合させることにより、梁部材と干渉することなしに渡し板を掛け渡すことができる。
【００２０】
また、請求項６に記載したエレベータの救出装置は、前記渡し板が掛け渡されたことを検出して乗りかごの運転を停止させる制御信号を送出する検出手段をさらに備えることを特徴とする。
なお、この検出手段は、支持部材の上に渡し板が載置されたときに押動されるスイッチや、乗りかごの支持部材と渡し板の係合部材が係合したときに押動されるスイッチ、あるいは渡し板を支持部材に固定するボルトの先端によって押動されるスイッチとすることができる。
【００２１】
すなわち、請求項６に記載したエレベータの救出装置によれば、両方の乗りかごの間に渡し板を掛け渡すと検出手段が作動してエレベータの運転を停止させる制御信号が送出されるから、救出作業を行っているときに救出側乗りかごが昇降することを確実に防止することができる。
【００２２】
また、請求項７に記載したエレベータの救出装置は、前記渡し板を前記他方の乗りかごに掛け渡すときに前記渡し板の先端を支持するための線状体が、前記渡し板の先端と前記一方の側の乗りかごとを接続していることを特徴とする。
【００２３】
すなわち、請求項７に記載したエレベータの救出装置においては、一方の乗りかごに接続された線状体によって渡し板の先端が支持されているから、一方の乗りかごから他方の乗りかごへと渡し板を掛け渡す作業を容易にかつ安全に行うことができる。
【発明の効果】
【００２４】
以上の説明から明らかなように、本発明によれば、渡し板を掛け渡したときに渡し板が不安定な状態となることを確実に防止できるばかりでなく、故障側乗りかごと救出側乗りかごとの間の距離が異なる場合や故障側乗りかごと救出側乗りかごとの間の空間に建物側の梁部材が存在する場合にも対応することができ、さらには渡し板を掛け渡したときに救出側乗りかごの昇降を確実に停止させることができるエレベータの救出装置を提供することができる。
【発明を実施するための最良の形態】
【００２５】
以下、図１乃至図１３を参照し、本発明に係るエレベータの救出装置の各実施形態について詳細に説明する。なお、以下の説明においては、前述した従来技術を含めて同一の部分には同一の符号を用いて重複した説明を省略する。
【００２６】
第１実施形態
まず最初に図１〜図４を参照し、第１実施形態のエレベータの救出装置について詳細に説明する。
【００２７】
図１および図２に示した第１実施形態のエレベータの救出装置１００は、故障側乗りかご１Ｌから救出側乗りかご１Ｒへと乗客Ｐを移動させるために用いるもので、故障側乗りかご１Ｌおよび救出側乗りかご１Ｒの底部の外壁面１１にそれぞれ設けられた支持部材１０Ｌ、１２Ｒと、これらの支持部材１０Ｌ，１０Ｒの間に掛け渡される渡し板２０とを備えている。
【００２８】
支持部材１０Ｌ，１０Ｒは、各乗りかご１Ｌ，１Ｒの側壁に設けられている救出口２Ｌ，２Ｒに臨むように各乗りかご１Ｌ，１Ｒの底部の外壁面１１に設けられて、図示する紙面に対して垂直な方向に所定の幅で水平に延びている。
これらの支持部材１０Ｌ，１０Ｒは、図３および図４に拡大して示したように、断面形状逆Ｌ字形の２つの鋼材１０ａ，１０ｂを組み合わせた形状となっており、その上壁１０ｃは、各乗りかご１Ｌ，１Ｒの床面１２，１２よりもわずかに高い位置で、かつ外壁面１１に対して隙間を開けて対向するように位置決めされている。
また、上壁１０ｃには、渡し板２０を固定するためのボルト２５が螺合するねじ孔１０ｄがそれぞれ貫設されている。
【００２９】
渡し板２０は、フレーム２１の上に板材２２を固定したもので、その先端は図３に示したように側面視で逆コ字形に折り曲げられて、渡し板２０の下方に突出するＬ字形の係合部材２３を形成している。
また、この渡し板２０は、その先端が故障側乗りかご１Ｌの床面１２上に位置するときに、その基端２４が救出側乗りかご１Ｒの床面１２上に位置するように、その全長が定められている。
さらに、この渡し板２０には、図４に示したように、その先端を故障側乗りかご１Ｌの支持部材１０Ｌにボルト２５を用いて固定するためのボルト挿通用長孔２６、およびその基端２４を救出側乗りかご１Ｒの支持部材１０Ｌに固定するためのボルト挿通用長孔２７がそれぞれ貫設されている。
なお、渡し板２０の基端２４側のボルト挿通用長孔２７は、先端側のボルト挿通用長孔２６よりもかなり長くなつており、各乗りかご１Ｌ，１Ｒの間の間隔寸法が異なっても、渡し板２０の基端２４側を救出側乗りかご１Ｒの支持部材１０Ｒに固定できるようになっている。
【００３０】
次に、本第１実施形態のエレベータの救出装置１００を用いて、故障側乗りかご１Ｌから救出側乗りかご１Ｒへと乗客Ｐを移動させる手順について説明する。
【００３１】
エレベータの乗りかご１Ｌが故障して昇降路の途中で停止すると、隣接するエレベータの乗りかご１Ｒを救出要員が運転して故障側乗りかご１Ｌに横付けする。
そして、救出側乗りかご１Ｒの側壁に設けられている救出口２Ｒの扉１３Ｒを救出要員が開き、救出側乗りかご１Ｌと故障側乗りかご１Ｒとの間に渡し板２０を掛け渡す作業を開始する。
このとき、渡し板２０の全長は、各乗りかご１Ｌ，１Ｒの間の間隔寸法よりも長いから、救出要員は救出側乗りかご１Ｒの救出口２Ｒから故障側乗りかご１Ｌの側に大きく身を乗り出す必要がなく、渡し板２０を掛け渡す作業を容易にかつ安全に行うことができる。
【００３２】
故障側乗りかご１Ｌの救出口２Ｌに向かって延ばした渡し板２０は、故障側乗りかご１Ｌの支持部材１０Ｌの上壁１０ｃに、その先端を載置することができる。
そして、この状態で渡し板２０を救出側乗りかご１Ｒの側に引き寄せると、渡し板２０の先端に設けられている係合部材２３と支持部材１０Ｌの上壁１０ｃとが互いに係合するので、渡し板２０の先端は救出側乗りかご１Ｒに向かう方向および上下方向に変位不能に係止される。
【００３３】
このとき、渡し板２０の基端側は救出側乗りかご１Ｒの支持部材１０Ｒの上壁１０ｃ上に載置されているが、その基端２４が救出口２Ｒから救出側乗りかご１Ｒの床面１２上に入り込んでいるので、渡し板２０を乗りかご１Ｌ，１Ｒの間の隙間から落下させるおそれがない。
そして、渡し板２０の基端側にそれぞれ貫設されている左右の長孔２７にボルト２５を挿通し、支持部材１０Ｒの上壁１０ｃに螺合させて締め付けることにより、渡し板２０の基端２４側を支持部材１０Ｒの上壁１０ｃに確実に固定することができる。
【００３４】
渡し板２０の基端側の固定が完了すると、救出要員は渡し板２０の上を移動して故障側乗りかご１Ｌの側に移動し、その側壁に設けられている救出口２Ｌの扉１３Ｌを開いて乗りかご１Ｌの内部に入る。
そして、渡し板２０の先端側に貫設されている左右の長孔２６にボルト２５を挿通し、支持部材１０Ｒの上壁１０ｃに螺合させて締め付けることにより、渡し板２０の先端を支持部材１０Ｌの上壁１０ｃにさらに確実に固定することができる。
それから、救出要員が両方の乗りかご１Ｌ，１Ｒの間に図示されない手摺りを装着すると、故障側乗りかご１Ｌの乗客は、渡し板２０の上を歩いて救出側乗りかご１Ｒへと移動することができる。
【００３５】
すなわち、本第１実施形態のエレベータの救出装置１００は、渡し板２０の先端係合部材２３と救出側乗りかご１Ｌの支持部材１０Ｌとを係合させる構造であるから、渡し板２０を掛け渡すときに、渡し板２０が支持部材１０Ｌ，１０Ｒの上に載っているだけという不安定な状況が発生することがない。
また、支持部材１０Ｌ，１０Ｒの上壁１０ｃが乗りかご１Ｌ，１Ｒの床面１２よりも上方にあるから、渡し板２０の先端係合部材２３が支持部材１０Ｌと係合したときに、渡し板２０の基端２４を乗りかご１Ｒの床面１２上に位置させることができる。
これにより、乗りかご１Ｌ，１Ｒの間の間隔寸法に誤差があっても対応可能であり、かつ間隔寸法が異なる一対の乗りかご間にもこの渡し板２０を共通に用いることができる。  さらに、乗りかご１Ｌ，１Ｒの間隔寸法よりも渡し板２０の全長が長いので、一方の乗りかご１Ｒから他方の乗りかご１Ｌへと渡し板２０を掛け渡す作業を容易にかつ安全に行うことができる。
【００３６】
第２実施形態
次に図５および図６を参照し、第２実施形態のエレベータの救出装置について説明する。
【００３７】
本第２実施形態のエレベータの救出装置２００における渡し板３０は、上述した第１実施形態の渡し板２０に突出部材３１および第２の係合部材３２を追加したものとなっている。
具体的に説明すると、渡し板３０の先端下面には、渡し板３０の先端に沿って平行に延びつつ下方に突出する厚板状の突出部材３１が突設されている。
そして、この突出部材３１の下端には、断面形状Ｌ字形の第２の係合部材３２が一体に延びるように固定されている。
【００３８】
このとき、図５に示したように、エレベータの昇降路に設けられている建物側の梁部材Ｓに対し、その床面１２がわずかに上方となる位置に故障側乗りかご１Ｌが停止したときには、渡し板３０を水平に掛け渡す作業に支障が生じることはない。
これにより、第１実施形態における渡し板２０と全くと同様に、乗りかご１Ｌ，１Ｒの間に渡し板３０を掛け渡して固定することができる。
【００３９】
これに対して、図６に示したように、梁部材Ｓに対してその床面１２がわずかに下方となる位置に故障側乗りかご１Ｌが停止したときには、故障側乗りかご１Ｌの支持部材１０Ｌの上壁１０ｃ上に突出部材３１の下端を載置した後、渡し板３０を救出側乗りかご１Ｒの側に引き寄せる。
すると、突出部材３１の下端に固定されている第２の係合部材３２が支持部材１０Ｌに係合するから、渡し板３０の先端は救出側乗りかご１Ｒに向かう方向および上下方向に変位不能に係止される。
【００４０】
すなわち、本第２実施形態のエレベータの救出装置２００は、渡し板３０の先端に設けられている係合部材２３と、突出部材３１の下端に設けられている第２の係合部材３２とを選択的に用いて、渡し板３０の先端を故障側乗りかご１Ｌの支持部材１０Ｌに係止することができる構造である。
これにより、故障側乗りかご１Ｌと救出側乗りかご１Ｒとの間に昇降路の梁部材Ｓが存在する場合であっても、乗りかご１Ｌ，１Ｒの間に渡し板３０を水平に掛け渡すことができる。
【００４１】
なお、突出部材３１を着脱自在に取り付けておくとともに、長さの異なる複数の突出部材３１を予め用意しておけば、故障側乗りかご１Ｌの床面１２と梁部材Ｓとの高さの相違に合わせて適切な寸法の突出部材３１を選択することにより、乗りかご１Ｌ，１Ｒの間に渡し板３０を水平に掛け渡すことができる。
【００４２】
第３実施形態
次に図７および図８を参照し、第３実施形態のエレベータの救出装置について説明する。
【００４３】
本第３実施形態のエレベータの救出装置３００は、上述した第２実施形態における渡し板３０の突出部材３１を折りたたみ自在に変更したものである。
具体的に説明すると、図７に示したように、渡し板４０の先端下面に設けられている突出部材４１および第２の係合部材４２は、フレーム２１側の支軸４３によって軸支されている揺動腕４４に支持されて、実線で示したように渡し板４０の下方に突出する状態と、想像線で示したように渡し板４０に沿って平行に延びる折りたたみ状態との間で揺動自在となっている。
【００４４】
また、揺動腕４４に設けられている支軸４５にはリンク部材４６が揺動自在に軸支されており、その先端をフレーム２１側の第１ピン４７に係合させると、突出部材４１および第２の係合部材４２は渡し板４０の下方に突出した状態に固定される。
これに対して、リンク部材４６の先端をフレーム２１側の第２ピン４８に係合させると、突出部材４１および第２の係合部材４２を折りたたみ状態に保持することができる。
これにより、この渡し板４０を使用しない場合には、突出部材４１および第２の係合部材４２を折りたたんだ状態として、保管や運搬に必要なスペースを減少させることができる。
【００４５】
渡し板４０を使用する際には、必要に応じて、リンク部材４６の先端を第１ピンに係合させることにより、突出部材４１および第２の係合部材４２を渡し板４０の下方に突出する状態に固定することができる。
これにより、図８に示したように、この渡し板４０は、上述した第２実施形態における渡し板３０と全く同様な作用効果を奏することができる。
【００４６】
第４実施形態
次に図９および図１０を参照し、第４実施形態のエレベータの救出装置について説明する。
【００４７】
本第４実施形態のエレベータの救出装置４００における渡し板５０は、前述した各実施形態の渡し板とは異なり、階段状に形成されている。
具体的に説明すると、渡し板５０は、水平に延びる２つの部分５１，５２を上下に延びる部分５３によって接続して階段状に形成したものであり、その先端には係合部材５４がボルト５５によって上下の向きを反転自在に取り付けられている。
【００４８】
これにより、図９に示したように、梁部材Ｓに対してその床面１２がわずかに下方となる位置に故障側乗りかご１Ｌが停止したときには、救出側乗りかご１Ｒの床面１２が梁部材Ｓに対してわずかに上方の位置に救出側乗りかご１Ｒを停止させる。
そして、水平に延びる部分５２が下側となるように渡し板５０の上下の向きを定め、乗りかご１Ｌ，１Ｒの間に掛け渡す。
そして、故障側乗りかご１Ｌの支持部材１０Ｌの上壁１０ｃ上に渡し板５０の先端を載置した後、この渡し板５０を救出側乗りかご１Ｒの側に引き寄せると、係合部材５４が支持部材１０Ｌと係合する。
これにより、この渡し板５０は、上述した各実施形態における渡し板と全く同様な作用効果を奏することができる。
【００４９】
これに対して、図１０に示したように、梁部材Ｓに対してその床面１２が下方に大きく離れた位置に故障側乗りかご１Ｌが停止したときには、救出側乗りかご１Ｒの床面１２が故障側乗りかご１Ｌの床面よりも低くなるように救出側乗りかご１Ｒを停止させる。
そして、水平に延びる部分５２が上側となるように渡し板５０の上下の向きを定めるとともに、その上下方向の向きが反転するように係合部材５４を取り付け直す。
次いで、故障側乗りかご１Ｌの支持部材１０Ｌの上壁１０ｃ上に渡し板５０の先端を載置した後、この渡し板５０を救出側乗りかご１Ｒの側に引き寄せると、係合部材５４が支持部材１０Ｌと係合する。
これにより、この渡し板５０は、上述した各実施形態における渡し板と全く同様な作用効果を奏することができる。
【００５０】
すなわち、本第４実施形態のエレベータの救出装置４００においては、渡し板５０が階段状に形成されているので、両方の乗りかご１Ｌ，１Ｒの間に存在している建物側の梁部材Ｓとの位置関係に合わせて渡し板５０の上下方向の向きを反転させることにより、この梁部材Ｓとの干渉を回避しつつ両方の乗りかご１Ｌ，１Ｒの間にこの渡し板５０を掛け渡すことができる。
また、この渡し板５０の先端に設けられている係合部材５４は、その上下方向の向きを反転させることができるように取り付けられているから、渡し板５０の上下方向の向きに合わせてその上下方向の向きを合わせることができる。
【００５１】
第５実施形態
次に図１１を参照し、第５実施形態のエレベータの救出装置について説明する。
【００５２】
本第５実施形態のエレベータの救出装置５００は、前述したように各乗りかご１Ｌ，１Ｒに設けられている支持部材１０Ｌ，１０Ｒの下側に、第２の支持部材６０Ｌ，６０Ｒを追加した構造となっている。
具体的に説明すると、乗りかご１Ｌ，１Ｒの外壁面１１には、支持部材１０Ｌ，１０Ｒと同一形状の第２の支持部材６０Ｌ，６０Ｒが、支持部材１０Ｌ，１０Ｒの下側に所定の間隔を開けて固定されている。
【００５３】
これにより、図１１に示したように、梁部材Ｓに対してその床面１２がわずかに下方となる位置に故障側乗りかご１Ｌが停止したときには、救出側乗りかご１Ｒの床面１２が故障側乗りかご１Ｌの床面１２よりもわずかに下方となる位置に救出側乗りかご１Ｒを停止させる。
そして、救出側乗りかご１Ｌの第２の支持部材６０Ｌと救出側乗りかご１Ｒの支持部材１０Ｒとの間に渡し板２０を掛け渡すことにより、梁部材Ｓとの干渉を回避しつつ、渡し板２０を水平に掛け渡すことができる。
【００５４】
すなわち、本第５実施形態のエレベータの救出装置５００においては、各乗りかご１Ｌ，１Ｒに上下方向に位置をずらせた２つずつの支持部材１０Ｌ，６０Ｌ，１０Ｒ，６０Ｒがそれぞれ設けられているから、渡し板２０を掛け渡す支持部材を選択することにより、梁部材Ｓとの干渉を回避しつつ渡し板２０が水平に延びるように掛け渡すことができる。  また、第２の支持部材６０Ｌ，６０Ｒは、支持部材１０Ｌ，１０Ｒと同一の部材であるから、渡し板２０の先端に設けられている係合部材２３と係合する機能も同一である。
なお、本第６実施形態においては、各乗りかご１Ｌ，１Ｒに２つずつの支持部材を設けているが、より多い数の支持部材を取り付けることもできる。
【００５５】
第６実施形態
次に図１２を参照し、第６実施形態のエレベータの救出装置について説明する。
【００５６】
本第６実施形態のエレベータの救出装置６００は、前述した第１実施形態のエレベータの救出装置１００に対し、乗りかご１Ｌ，１Ｒの間に渡し板２０が掛け渡されたことを検出して、乗りかご１Ｌ，１Ｒの運転を停止させる制御信号を送出する検出手段７０を追加したものとなっている。
【００５７】
具体的に説明すると、乗りかご１Ｌ，１Ｒの支持部材１０Ｌ，１０Ｒには、渡し板２０の先端に設けられている係合部材２３が支持部材１０Ｌ，１０Ｒの上壁１０ｃと係合したときに、係合部材２３によって押動されて作動するスイッチ７０が設けられている。
そして、このスイッチ７０は、各乗りかご１Ｌ，１Ｒに設けられている図示されない制御配線を介して、両方の乗りかご１Ｌ，１Ｒの運転を制御している運転制御装置に接続されている。
【００５８】
これにより、乗りかご１Ｌ，１Ｒの間に渡し板２０を掛け渡して係合部材２３を支持部材１０Ｌに係合させると、スイッチ７０が作動して運転制御装置に制御信号を送出するので、救出側乗りかご１Ｒの昇降が禁止され、救出作業を行っているときに救出側乗りかご１Ｒが昇降することを確実に防止することができる。
【００５９】
なお、係合部材２３によって押動されると作動するスイッチ７０に代えて、渡し板２０によって押動されて作動するスイッチや、渡し板２０を固定するボルト２５によって押動されて作動するスイッチを用いることもできる。
【００６０】
第７実施形態
次に図１３を参照し、第７実施形態のエレベータの救出装置について説明する。
【００６１】
本第７実施形態のエレベータの救出装置６００は、前述した第１実施形態のエレベータの救出装置１００に対し、渡し板２０の先端を救出側乗りかご１Ｒに接続するための線状体を追加したものとなっている。
【００６２】
具体的に説明すると、渡し板２０の先端部分において左右のフレーム２１にそれぞれ設けられたピン８１と、救出側乗りかご１Ｒの救出口２Ｒの左右の側壁に設けられたピン８２とは、線状体としてのチェーン８３によって接続されている。
これにより、救出側乗りかご１Ｒから故障側乗りかご１Ｌへと渡し板２０を掛け渡すときには、渡し板２０の先端がチェーン８３によって支持されるから、渡し板２０の先端に設けられている係合部材２３を支持部材１０Ｌに係合させる作業を容易にかつ安全に行うことができる。
また、渡し板２０を掛け渡して固定した状態においては、左右のチェーン８３が手摺りの代わりを務めることもできる。
なお、チェーン８３に代えてロープやワイヤ等を用いることもできる。
【００６３】
以上、本発明に係るエレベータの救出装置の各実施形態について詳しく説明したが、本発明は上述した実施形態によって限定されるものではなく、種々の変更が可能であることは言うまでもない。
例えば、図９および図１０に示した階段状の渡し板５０と、図１１に示した複数の支持部材１０Ｌ，１０Ｒ，６０Ｌ，６０Ｒとを組み合わせて用いることもできる。
【図面の簡単な説明】
【００６４】
【図１】第１実施形態のエレベータの救出装置を示す側面図。
【図２】図１に示したエレベータの救出装置を示す平面図。
【図３】図１の要部を拡大して示す側面図。
【図４】図１に示したエレベータの救出装置の分解斜視図。
【図５】第２実施形態のエレベータの救出装置を示す側面図。
【図６】図５中の突出部材を使用する状態を示す側面図。
【図７】第３実施形態のエレベータの救出装置の要部拡大側面図。
【図８】図７に示した突出部材を使用する状態を示す側面図。
【図９】第４実施形態のエレベータの救出装置を示す側面図。
【図１０】図９に示した渡し板を上下方向に反転させて使用する状態を示す側面図。
【図１１】第５実施形態のエレベータの救出装置を示す側面図。
【図１２】第６実施形態のエレベータの救出装置を示す側面図。
【図１３】第７実施形態のエレベータの救出装置を示す側面図。
【図１４】特開２００５−６７８８１号公報に開示されている救出装置を模式的に示す側面図。
【符号の説明】
【００６５】
Ｓ    昇降路の梁部材
１Ｌ  故障側乗りかご（他方の乗りかご）
１Ｒ  救出側乗りかご（一方の乗りかご）
２Ｌ，２Ｒ  救出口
５  渡し板
６  支持枠
１０Ｌ，１０Ｒ  支持部材
１１  外壁面
１２  床面
１３Ｌ，１３Ｒ  救出口の扉
２０  渡し板
２３  係合部材
３０  渡し板
３１  突出部材
３２  第２の係合部材
４０  渡し板
４１  突出部材
４２  第２の係合部材
４４  揺動腕
４６  リンク部材（固定具）
５０  渡し板
５４  係合部材
６０Ｌ，６０Ｒ  第２の支持部材
７０  スイッチ（検出手段）
８３  チェーン（線状体）
１００  第１実施形態のエレベータの救出装置
２００  第２実施形態のエレベータの救出装置
３００  第３実施形態のエレベータの救出装置
４００  第４実施形態のエレベータの救出装置
５００  第５実施形態のエレベータの救出装置
６００  第６実施形態のエレベータの救出装置
【図１】
2008050152.tif 000003
【図２】
2008050152.tif 000004
【図３】
2008050152.tif 000005
【図４】
2008050152.tif 000006
【図５】
2008050152.tif 000007
【図６】
2008050152.tif 000008
【図７】
2008050152.tif 000009
【図８】
2008050152.tif 000010
【図９】
2008050152.tif 000011
【図１０】
2008050152.tif 000012
【図１１】
2008050152.tif 000013
【図１２】
2008050152.tif 000014
【図１３】
2008050152.tif 000015
【図１４】
2008050152.tif 000016